(57)【要約】【課題】原稿と透明部材と間の隙間での光波の干渉により原稿の読み取り画像に発生し得る斑点、及び、透明部材に対する原稿の浮きにより原稿の読み取り画像に発生し得る影の双方を効果的に防止することができる画像読取装置及び画像形成装置を提供する。【解決手段】画像読取装置は、画像読取部に対し、原稿押さえ装置を開閉可能に支持する回動支持部を備えている。画像読取部には、原稿載置台の外側に非原稿載置領域が設けられている。原稿押さえ装置には、原稿押さえ装置を閉じたときに、非原稿載置領域に部分的に接触する接触片が設けられている。接触片は、回動支持部の回動軸線方向と直交する方向における原稿押圧部材の幅内に設けられている。【選択図】図４
2019020740.tif 000002
【特許請求の範囲】
【請求項１】
原稿を載置する透明部材からなる原稿載置台を備えた画像読取部と、前記原稿載置台に載置された前記原稿を押圧する原稿押圧部材を設けた原稿押さえ装置と、を備えた画像読取装置であって、
前記画像読取部に対し、前記原稿押さえ装置を開閉可能に支持する回動支持部を備え、
前記画像読取部には、前記原稿載置台の外側に非原稿載置領域が設けられ、
前記原稿押さえ装置には、前記原稿押さえ装置を閉じたときに、前記非原稿載置領域に部分的に接触する接触片が設けられ、
前記接触片は、前記回動支持部の回動軸線方向と直交する直交方向における前記原稿押圧部材の幅内に設けられたことを特徴とする画像読取装置。
【請求項２】
請求項１に記載の画像読取装置であって、
前記接触片は、前記回動軸線方向において前記原稿載置台を間にした一方側の前記非原稿載置領域に対応する領域に複数設けられていることを特徴とする画像読取装置。
【請求項３】
請求項１又は請求項２に記載の画像読取装置であって、
前記接触片は、前記回動軸線方向において前記原稿載置台を間にした一方側及び他方側の前記非原稿載置領域に対応する領域にそれぞれ設けられていることを特徴とする画像読取装置。
【請求項４】
請求項３に記載の画像読取装置であって、
前記一方側及び他方側の前記非原稿載置領域に対応する領域に設けられたそれぞれの前記接触片は、前記回動支持部の回動軸線方向に直交する方向において同じ位置又は略同じ位置に設けられていることを特徴とする画像読取装置。
【請求項５】
請求項１から請求項４までの何れか１つに記載の画像読取装置であって、
前記非原稿載置領域に接触する前記接触片は、前記回動支持部の回動軸線方向との直交方向における前記原稿押圧部材の中央よりも前記回動支持部側に設けられていることを特徴とする画像読取装置。
【請求項６】
請求項１から請求項５までの何れか１つに記載の画像読取装置であって、
前記原稿押さえ装置は、前記直交方向において、前記回転支持部側に設けた第１原稿押さえ装置と、前記第１原稿押さえ装置に対して折り曲げ自在とされた第２原稿押さえ装置とから構成され、
前記接触片は、前記第１原稿押さえ装置に設けられていることを特徴とする画像読取装置。
【請求項７】
請求項１から請求項６までの何れか１つに記載の画像読取装置であって、
前記回動支持部は、前記画像読取部に対して上下方向に移動自在に支持されていることを特徴とする画像読取装置。
【請求項８】
請求項１から請求項７までの何れか１つに記載の画像読取装置であって、
前記原稿押さえ装置に設けられて前記原稿を押圧する弾性部材を備え、
前記接触片は、硬質性を有する突起形状であることを特徴とする画像読取装置。
【請求項９】
請求項１から請求項８までの何れか１つに記載の画像読取装置を備えたことを特徴とする画像形成装置。
【発明の詳細な説明】
【技術分野】
【０００１】
本発明は、複写機、ファクシミリ装置や複合機などの画像形成装置に備えられるイメージスキャナなどの画像読取装置及び画像形成装置に関する。
【背景技術】
【０００２】
従来、複写機、ファクシミリ装置や複合機などの画像形成装置においては、一般的に、透明ガラス等の透明板を有する原稿載置台の透明板上に載置された原稿を確実に原稿載置台に密着させることにより良好な画質の画像を得るように原稿押さえ装置が設けられている。
【０００３】
かかる原稿押さえ装置は、原稿を覆って押圧保持する押圧部材を備えている。押圧部材は、通常、原稿押さえ部材と、原稿押さえ部材の原稿押さえ側に設けられて原稿を押圧する弾性部材とを備えている。原稿押さえ装置は、原稿載置台の透明板上に載置された原稿に対して弾性部材を均一に押圧させる機能を有している。
【０００４】
ところが、従来の原稿押さえ装置では、原稿（特に写真原稿等の光沢性を有する原稿）の画像を読み取るときに、弾性部材の原稿への押圧力を強くすると、原稿と透明板と間の隙間の両面で反射される光波の干渉（いわゆるニュートンリング）によって原稿の読み取り画像に斑点が生じる一方、この干渉による斑点を防止するべく、弾性部材の原稿への押圧力を弱くすると、透明板に対する原稿の浮きにより原稿の読み取り画像に影が発生するという不都合がある。
【０００５】
この点に関し、特許文献１には、原稿押さえ板（原稿押さえ部材）のコンタクトガラス（原稿載置台の透明板）に対向する面に、この面の中央部の厚さを最大に形成するとともに、この中央部の周囲の厚さを、段階的又は直線的に連続させて順次薄く形成した弾性部材を配置することで、また、特許文献２には、原稿押さえ板（原稿押さえ部材）が開状態の時は突出し、閉状態のときは原稿と密着する複数の弾性部材を備えることで、原稿押さえ部材の開閉時での原稿の位置ずれや巻き上げを防止することが提案されている。
【０００６】
また、特許文献３には、押圧部材の圧縮量及び弾性率のうち少なくとも一方を、ヒンジ部に近い側から遠い側に向かって段階的に小さくすることで、原稿押さえ部材の開閉側端部の浮きを防止することが提案されている。
【先行技術文献】
【特許文献】
【０００７】
【特許文献１】特開平５−２７３３９号公報
【特許文献２】実開昭６２−９１６３５号公報
【特許文献２】特開２００８−１５２１８５号公報
【発明の概要】
【発明が解決しようとする課題】
【０００８】
しかしながら、特許文献１，２に記載の発明は、原稿押さえ部材の開閉時での原稿の位置ずれや巻き上げを防止し、特許文献３に記載の発明は、原稿押さえ部材の開閉側端部の浮きを防止することができるものの、何れにしても、原稿と透明板と間の隙間での光波の干渉により原稿の読み取り画像に発生し得る斑点、及び、透明板に対する原稿の浮きにより原稿の読み取り画像に発生し得る影の双方を防止することについて何ら考慮されていない。
【０００９】
そこで、本発明は、原稿と透明部材と間の隙間での光波の干渉により原稿の読み取り画像に発生し得る斑点、及び、透明部材に対する原稿の浮きにより原稿の読み取り画像に発生し得る影の双方を効果的に防止することができる画像読取装置及び画像形成装置を提供することを目的とする。
【課題を解決するための手段】
【００１０】
本発明者は、前記課題を解決するために、鋭意研鑽を重ねた結果、透明部材を有する原稿載置台の透明部材に載置された複数種類の規定サイズ（例えば、Ａ３サイズ、Ｂ４サイズ、Ａ４サイズ、Ｂ５サイズ、Ａ５サイズ、２Ｌサイズ、Ｂ６サイズ、Ａ６サイズ、Ｌサイズ）の原稿を押さえる原稿押さえ装置を備えた画像読取装置においては、複数種類の規定サイズの原稿を押圧する原稿押圧領域と原稿押圧領域よりも外側の非原稿押圧領域とを有する押圧部材の非原稿押圧領域において原稿押圧領域の原稿への押圧力を部分的に規制（小さく）することで、押圧部材の原稿押圧領域での押圧力を、規制部材により規制した部分と規制していない部分との双方で適度なものにすることができ、これにより、原稿と透明部材と間の隙間での光波の干渉により原稿の読み取り画像に発生し得る斑点、及び、透明部材に対する原稿の浮きにより原稿の読み取り画像に発生し得る影の双方を効果的に防止できることを見出し、本発明を完成した。
【００１１】
本発明は、かかる知見に基づくものであり、次の画像読取装置及び画像形成装置を提供する。
【００１２】
（１）画像読取装置
原稿を載置する透明部材からなる原稿載置台を備えた画像読取部と、前記原稿載置台に載置された前記原稿を押圧する原稿押圧部材を設けた原稿押さえ装置と、を備えた画像読取装置であって、前記画像読取部に対し、前記原稿押さえ装置を開閉可能に支持する回動支持部を備え、前記画像読取部には、前記原稿載置台の外側に非原稿載置領域が設けられ、前記原稿押さえ装置には、前記原稿押さえ装置を閉じたときに、前記非原稿載置領域に部分的に接触する接触片が設けられ、前記接触片は、前記回動支持部の回動軸線方向と直交する直交方向における前記原稿押圧部材の幅内に設けられたことを特徴とする画像読取装置。
【００１３】
（２）画像形成装置
前記本発明に係る画像読取装置を備えたことを特徴とする画像形成装置。
【００１４】
本発明によれば、前記接触片により、非原稿押圧領域において原稿押圧領域の前記原稿への押圧力を部分的に規制（小さく）することができる。従って、前記原稿押圧領域での押圧力を、前記接触片により規制した部分と規制していない部分との双方で適度なものにすることができ、これにより、前記原稿と前記透明部材と間の隙間での光波の干渉により前記原稿の読み取り画像に発生し得る斑点、及び、前記透明部材に対する前記原稿の浮きにより前記原稿の読み取り画像に発生し得る影の双方を効果的に防止することができる。
【００１５】
しかも、前記原稿押圧領域を規定サイズのうち最大サイズの前記原稿を押圧する領域とすることができ、これにより、前記最大サイズよりも小さい予め定めた所定サイズに適用できるだけでなく、前記最大サイズの前記原稿に対しても適用することができる。これらのことは、前記原稿が、写真原稿等の光沢性を有する原稿（例えば光沢紙原稿）である場合に、特に有効となる。
【００１６】
本発明において、前記接触片は、前記回動軸線方向において前記原稿載置台を間にした一方側の前記非原稿載置領域に対応する領域に複数設けられている態様を例示できる。
【００１７】
本発明において、前記接触片は、前記回動軸線方向において前記原稿載置台を間にした一方側及び他方側の前記非原稿載置領域に対応する領域にそれぞれ設けられている態様を例示できる。
【００１８】
本発明において、前記一方側及び他方側の前記非原稿載置領域に対応する領域に設けられたそれぞれの前記接触片は、前記回動支持部の回動軸線方向に直交する方向において同じ位置又は略同じ位置に設けられている態様を例示できる。
【００１９】
本発明において、前記非原稿載置領域に接触する前記接触片は、前記回動支持部の回動軸線方向との直交方向における前記原稿押圧部材の中央よりも前記回動支持部側に設けられている態様を例示できる。
【００２０】
本発明において、前記原稿押さえ装置は、前記直交方向において、前記回転支持部側に設けた第１原稿押さえ装置と、前記第１原稿押さえ装置に対して折り曲げ自在とされた第２原稿押さえ装置とから構成され、前記接触片は、前記第１原稿押さえ装置に設けられている態様を例示できる。
【００２１】
本発明において、前記回動支持部は、前記画像読取部に対して上下方向に移動自在に支持されている態様を例示できる。
【００２２】
本発明において、前記原稿押さえ装置に設けられて前記原稿を押圧する弾性部材を備え、前記接触片は、硬質性を有する突起形状である態様を例示できる。
【発明の効果】
【００２３】
以上説明したように、本発明によると、前記原稿と前記透明部材と間の隙間での光波の干渉により前記原稿の読み取り画像に発生し得る斑点、及び、前記透明部材に対する前記原稿の浮きにより前記原稿の読み取り画像に発生し得る影の双方を効果的に防止することができる。
【図面の簡単な説明】
【００２４】
【図１】本発明の実施の形態に係る画像読取装置を備えた画像形成装置を正面から視た概略断面図である。
【図２】図１に示す画像形成装置に装着された画像読取装置を上から視た概略平面図である。
【図３】図１及び図２に示す画像読取装置を正面から視た概略断面図である。
【図４】図１から図３に示す画像読取装置の原稿押さえ装置が開いた状態を正面の斜め上から視た概略斜視図である。
【図５】図１から図３に示す画像読取装置の原稿押さえ装置が閉じた状態でのコンタクトガラス、支持部及び規制部材部分を示す概略断面図である。
【図６】画像読取装置に設けられた規制部材部分を示す概略断面図であって、（ａ）は、規制部材により押圧力が規制されない部分で原稿が押圧されていない状態を示す図であり、（ｂ）は、規制部材により押圧力が規制されない部分で接触部材を介して弾性部材により原稿が押圧されている状態を示す図であり、（ｃ）は、規制部材により押圧力が規制される部分で原稿が押圧されていない状態を示す図であり、（ｄ）は、規制部材により押圧力が規制される部分で接触部材を介して弾性部材により原稿が押圧されている状態を示す図である。
【図７】本実施の形態の実施例１に係る原稿押さえ装置を底面から視た概略底面図である。
【図８】図７に示す原稿押さえ装置が原稿を押圧している状態を平面から視た概略平面図である。
【図９】図７に示す原稿押さえ装置を画像読取装置本体から離間させた状態を示す概略断面図であって、（ａ）は、図８に示すＡ方向から視た状態を示す図であり、（ｂ）は、図８に示すＢ方向から視た状態を示す図である。
【図１０】本実施の形態の実施例２に係る原稿押さえ装置を底面から視た概略底面図である。
【図１１】図１０に示す原稿押さえ装置が原稿を押圧している状態を平面から視た概略平面図である。
【図１２】図１０に示す原稿押さえ装置を画像読取装置本体から離間させた状態を示す概略断面図であって、（ａ）は、図１１に示すＡ方向から視た状態を示す図であり、（ｂ）は、図１１に示すＢ方向から視た状態を示す図である。
【図１３】本実施の形態の実施例３に係る原稿押さえ装置を底面から視た概略底面図である。
【図１４】図１３に示す原稿押さえ装置が原稿を押圧している状態を平面から視た概略平面図である。
【図１５】図１３に示す原稿押さえ装置を画像読取装置本体から離間させた状態を示す概略断面図であって、図１４に示すＡ方向から視た状態を示す図である。
【図１６】原稿押さえ装置において規制部材が硬質性を有する突起形状の部材とされ、押圧部材が閉じられた状態を示す概略図であって、（ａ）は、規制部材が原稿押さえ部材の非原稿押圧領域に設けられている一例を示す図であり、（ｂ）は、規制部材が原稿載置台の外側領域における支持部に設けられている一例を示す図であり、（ｃ）は、規制部材が原稿押さえ部材の非原稿押圧領域及び原稿載置台の外側領域における支持部の双方に設けられている一例を示す図である。
【図１７】原稿とコンタクトガラスと間の隙間での光波の干渉により原稿の読み取り画像に発生し得る斑点、及び、コンタクトガラスに対する原稿の浮きにより原稿の読み取り画像に発生し得る影（カブリ）の発生状態の評価結果を示す図表である。
【発明を実施するための形態】
【００２５】
以下、本発明に係る実施の形態について図面を参照しながら説明する。なお、以下に示す実施の形態は、本発明を具体化した例であって、本発明の技術的範囲を限定する性格のものではない。
【００２６】
図１は、本発明の実施の形態に係る画像読取装置１００を備えた画像形成装置４００を正面から視た概略断面図である。
【００２７】
図１に示す画像形成装置４００は、原稿Ｇの画像を読み取る画像読取装置１００と、画像読取装置１００により読み取られた原稿Ｇの画像又は外部から受信した画像をカラーもしくは単色で普通紙等の記録シートに記録形成する画像形成装置本体４００ｄとを備えており、画像形成装置本体４００ｄの上面に画像読取装置１００が装着されている。
【００２８】
［画像形成装置の全体構成について］
画像形成装置本体４００ｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び、排紙部として作用する排紙トレイ１５を備えている。
【００２９】
画像形成装置本体４００ｄにおいて扱われる画像データは、ブラック（Ｋ）、シアン（Ｃ）、マゼンタ（Ｍ）、イエロー（Ｙ）の各色を用いたカラー画像に応じたもの、又は、単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００３０】
感光体ドラム３は、画像形成装置本体４００ｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００３１】
露光装置１は、ここでは、レーザダイオード及び反射ミラーを備えたレーザスキャニングユニットであり、帯電された感光体ドラム３表面を画像データに応じて露光して、その表面に画像データに応じた静電潜像を形成する。
【００３２】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００３３】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３及び中間転写ベルトクリーニング装置９を備えている。
【００３４】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００３５】
中間転写ローラ６は、中間転写ベルト７内側に回転可能に支持され、中間転写ベルト７を介して感光体ドラム３に圧接されている。
【００３６】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。
【００３７】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。
【００３８】
画像形成装置本体４００ｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００３９】
前述したように各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００４０】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。
【００４１】
また、２次転写装置１１は、トナー像が記録シート上に完全に転写されずに中間転写ベルト７上に残留した残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。
【００４２】
給紙トレイ１０は、記録シートを格納しておくためのトレイであり、画像形成装置本体４００ｄの画像形成部１１０の下側に設けられている。また、画像形成部１１０の上側に設けられている排紙トレイ１５は、印刷済みの記録シートをフェイスダウンで載置するためのトレイである。
【００４３】
また、画像形成装置本体４００ｄには、給紙トレイ１０の記録シートを２次転写装置１１や定着装置１２を経由させて排紙トレイ１５に送るためのシート搬送装置５０が設けられている。シート搬送装置５０は、Ｓの字形状のシート搬送路Ｓを有し、シート搬送路Ｓに沿って、ピックアップローラ１６、第１分離ローラ１４ａ、第２分離ローラ１４ｂ、各搬送ローラ１３、レジスト前ローラ対１９、レジストローラ対１０６、定着装置１２及び排紙ローラ１７等の搬送部材が配置されている。
【００４４】
ピックアップローラ１６は、給紙トレイ１０のシート搬送方向において下流側端部に設けられ、給紙トレイ１０から記録シートを１枚ずつシート搬送路Ｓに供給する呼び込みローラである。第１分離ローラ１４ａは、第２分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００４５】
定着装置１２は、ヒートローラ３１及び加圧ローラ３２を備えている。ヒートローラ３１及び加圧ローラ３２は、記録シートを挟み込んで搬送する。
【００４６】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００４７】
各色のトナー像の定着後での記録シートは、排紙ローラ１７によって排紙トレイ１５上に排出される。
【００４８】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００４９】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００５０】
なお、図１に示す画像読取装置１００において、付している参照符号のうち、説明していない参照符号の箇所については、後述する。
【００５１】
［画像読取装置の全体構成について］
図２は、図１に示す画像形成装置４００に装着された画像読取装置１００を上から視た概略平面図である。図３は、図１及び図２に示す画像読取装置１００を正面から視た概略断面図である。なお、図１及び図３において、後述する規制部材３７０については図示を省略している。
【００５２】
図２及び図３に示すように、画像読取装置１００は、縮小光学系タイプの画像読取装置とされており、原稿固定方式により原稿Ｇ（例えば、一般的な通常の原稿に加えて、光沢性を有する原稿）を固定して原稿画像を読み取るように構成されている。画像読取装置１００は、画像読取装置本体１００ｄと、透明板の一例であるコンタクトガラス２０１ａを有する原稿載置台２０１のコンタクトガラス２０１ａに載置された複数種類の規定サイズ（ここでは、Ａ３サイズ、Ｂ４サイズ、Ａ４サイズ、Ｂ５サイズ、Ａ５サイズ、２Ｌサイズ、Ｂ６サイズ、Ａ６サイズ、Ｌサイズ）の原稿Ｇを押さえる原稿押さえ装置３００とを備えている。ここで、２Ｌサイズ及びＬサイズは、主として写真原稿で用いられるサイズであり、２Ｌサイズは１２７ｍｍ（５インチ）×１７８ｍｍ（７インチ）とされ、Ｌサイズは８９ｍｍ（３．５インチ）×１２７ｍｍ（５インチ）とされている。
【００５３】
画像読取装置本体１００ｄは、図３に示すように、光源ユニット２１０を副走査方向Ｙの一方側Ｙ１に移動させつつコンタクトガラス２０１ａ上に載置される原稿Ｇを、コンタクトガラス２０１ａを介して照明し、光源ユニット２１０により照明された原稿Ｇからの反射光を副走査方向Ｙ及び上下方向Ｚの双方に直交する主走査方向Ｘに走査して原稿画像を読み取る原稿読取部２００を備えている。
【００５４】
詳しくは、原稿読取部２００は、コンタクトガラス２０１ａ、走査体として作用する光源ユニット２１０、光源ユニット２１０を移動させる光学系駆動部（図示省略）、ミラーユニット２０３、集光レンズ２０４、及び、光電変換素子（ここではＣＣＤ）２０５を備えており、これらの部材は金属製の枠体２０２内に収容されている。光源ユニット２１０は、原稿Ｇへ向けて光を照射する光源２１１と、原稿Ｇからの反射光をミラーユニット２０３へ導く第１ミラー２３０とを有している。光源２１１は、複数の発光素子を主走査方向Ｘに列設した二つの発光素子列２１２ａ，２１２ｂと、二つの発光素子列２１２ａ，２１２ｂをそれぞれ搭載した光源基板２１３ａ，２１３ｂとを備えている。
【００５５】
原稿Ｇを載置するコンタクトガラス２０１ａは、透明なガラス板からなり、主走査方向Ｘの両端部が枠体２０２に載置されている。原稿押さえ装置３００は、開閉軸Ｑ１（後述する図７等参照）を備え、画像読取装置本体１００ｄ又は画像形成装置本体４００ｄ（ここでは画像読取装置本体１００ｄ）に対して一端側（具体的には画像読取装置本体１００ｄの操作部１０１（図２参照）が設けられた操作側、手前側（正面側））が一端側とは反対側の他端側（具体的には開閉可能に操作側とは反対側、奥側（背面側））で開閉軸Ｑ１によって軸支されている。なお、原稿押さえ装置３００についてはのちほど図４から図１６を参照しながら詳しく説明する。
【００５６】
ミラーユニット２０３は、第２ミラー２０３ａ、第３ミラー２０３ｂ及び支持部材（図示せず）を備えている。支持部材は、第２ミラー２０３ａを、光源ユニット２１０における第１ミラー２３０からの光を反射して第３ミラー２０３ｂに導くように支持している。また、支持部材は、第３ミラー２０３ｂを、第２ミラー２０３ａからの光を反射して集光レンズ２０４に導くように支持している。集光レンズ２０４は、第３ミラー２０３ｂからの光を光電変換素子２０５の受光面２０５ｄに集光するものである。光電変換素子２０５は、集光レンズ２０４からの光（原稿画像光）を繰り返し主走査方向Ｘに走査し、その度に、１走査ラインのアナログ信号を出力する。
【００５７】
また、光学系駆動部は、ここでは、図示しないスキャナモータ及び図示しないプーリー及びワイヤー等の移動機構を備えており、これらスキャナモータ及び移動機構によって、光源ユニット２１０を一定の速度で副走査方向Ｙに移動させると共に、ミラーユニット２０３を光源ユニット２１０の移動速度の１／２の移動速度で同じく副走査方向Ｙに移動させるように構成されている。
【００５８】
以上説明した画像読取装置１００では、光源ユニット２１０は、原稿載置台２０１におけるコンタクトガラス２０１ａに載置された原稿Ｇに対して光源２１１からの光を、コンタクトガラス２０１ａを介して照射しながら一定の速度で副走査方向Ｙの一方側Ｙ１に移動して原稿Ｇの画像を走査し、それと同時にミラーユニット２０３は光源ユニット２１０の移動速度の１／２の移動速度で同じく副走査方向Ｙの一方側Ｙ１に移動する。
【００５９】
光源ユニット２１０にて照明されて原稿Ｇから反射された反射光は、光源ユニット２１０に設けられた第１ミラー２３０で反射されたのち、ミラーユニット２０３の第２ミラー２０３ａ及び第３ミラー２０３ｂによって１８０°光路変換される。第３ミラー２０３ｂから反射された光は、集光レンズ２０４を介して光電変換素子２０５の受光面２０５ｄに結像し、ここで原稿画像光が読み取られてアナログ信号に変換される。
【００６０】
なお、本実施の形態では、画像読取装置本体１００ｄは、原稿押さえ装置３００に代えて、原稿Ｇを自動的に搬送して原稿押さえ装置を兼用する自動原稿送り装置が装置されることで、原稿移動方式により原稿Ｇを移動させて原稿画像を読み取るようになっている。この場合、画像読取装置１００は、自動原稿送り装置で原稿読取ガラス２０１ｂ上を通過するように副走査方向Ｙの一方側Ｙ１に搬送される原稿Ｇを、原稿読取部２００において読取位置（原稿読取ガラス２０１ｂの下方位置）に位置する光源ユニット２１０にて原稿読取ガラス２０１ｂを介して照明しつつ光源ユニット２１０により照明された原稿Ｇからの反射光を主走査方向に走査して原稿画像を読み取ることができる。
【００６１】
［原稿押さえ装置］
原稿押さえ装置３００は、複数種類の規定サイズ（ここでは、Ａ３、Ｂ４、Ａ４、Ｂ５、Ａ５、２Ｌ、Ｂ６、Ａ６、Ｌの各サイズ）の原稿Ｇを覆って押圧保持する押圧部材３６０を備えている。押圧部材３６０は、原稿押さえ部材（具体的には原稿押さえ板）３１０と、原稿押さえ部材３１０の原稿押さえ側に設けられて複数種類の規定サイズの原稿Ｇを押圧する弾性部材３２０とを備えている。
【００６２】
なお、図２及び図３に示す原稿押さえ装置３００において、付している参照符号のうち、説明していない参照符号の箇所については、後述する。
【００６３】
図４から図１６は、画像読取装置１００における原稿押さえ装置３００を説明するための模式図である。図４から図１６のうち、図４は、図１から図３に示す画像読取装置１００の原稿押さえ装置３００が開いた状態を正面の斜め上から視た概略斜視図を示している。なお、図４において、規制部材３７０の位置は、後述する実施例１の位置とされている。また、図５は、図１から図３に示す画像読取装置１００の原稿押さえ装置３００が閉じた状態でのコンタクトガラス２０１ａ、支持部３４０及び規制部材３７０部分を概略的な断面図で示している。
【００６４】
図４から図１６に示す原稿押さえ装置３００において、原稿押さえ部材３１０は、板状のハウジング部材とされており、ＡＢＳ（Acrylonitrile Butadiene Styrene）などの樹脂材料で形成されている。原稿押さえ部材３１０は、弾性部材３２０を支持するようになっており、コンタクトガラス２０１ａに載置される原稿Ｇの最大サイズ（ここではＡ３サイズ）よりも大きめの寸法とされている。具体的には、原稿押さえ部材３１０は、原稿押さえ部材本体３１１（図５等参照）と、原稿押さえ部材本体３１１から原稿押さえ側に立設した複数のリブ３１２〜３１２（図５等参照）とを備えている。各リブ３１２〜３１２は、副走査方向Ｙに沿って延びており、各リブ３１２〜３１２に弾性部材３２０が設けられている。原稿押さえ部材本体３１１及び各リブ３１２〜３１２は一体形成されている。
【００６５】
原稿押さえ部材３１０は、手前側が開閉可能に奥側で開閉軸Ｑ１によって軸支されるようになっている。
【００６６】
本実施の形態では、原稿押さえ装置３００は、原稿押さえ部材３１０を開閉可能に支持する回動支持部として作用するヒンジ部３３０をさらに備えている。
【００６７】
ヒンジ部３３０は、副走査方向Ｙの一方側Ｙ１と他方側Ｙ２とに設けられた一対のものとされており、それぞれ、画像読取装置本体１００ｄの奧側（背面側）に設けられる本体側部材３３１と、原稿押さえ部材３１０の奧側（背面側）に設けられて本体側部材３３１に対して開閉方向Ｗ（図９等参照）に回動する原稿押さえ側部材３３２とを備えている。
【００６８】
原稿押さえ部材３１０は、開閉軸Ｑ１が上下方向Ｚに移動自在に画像読取装置本体１００ｄに設けられている。
【００６９】
詳しくは、本体側部材３３１は、画像読取装置本体１００ｄに対して挿脱自在に設けられている。原稿押さえ側部材３３２は、副走査方向Ｙに沿った開閉軸Ｑ１によって回動可能に本体側部材３３１に軸支されている。具体的には、本体側部材３３１は、画像読取装置本体１００ｄに上下方向Ｚに沿って設けられた挿入穴２０６（図９等参照）に挿通される棒状の部材とされている。原稿押さえ側部材３３２は、原稿押さえ部材３１０に固定されて設けられている。原稿押さえ側部材３３２及び原稿押さえ部材３１０は、一体形成されていてもよい。
【００７０】
また、ヒンジ部３３０は、コイルバネ等の付勢部材によって原稿押さえ部材３１０を原稿押さえ側に付勢するようになっている。なお、原稿押さえ部材３１０を原稿押さえ側に付勢する構成については、従来公知の構成を用いることができ、ここでは、詳しい説明を省略する。
【００７１】
かかる構成を備えた原稿押さえ装置３００は、原稿押さえ部材３１０における本体側部材３３１が画像読取装置本体１００ｄにおける挿入穴２０６（図９等参照）に挿通されて画像読取装置本体１００ｄに装着されることにより、画像読取装置本体１００ｄに装着された状態で原稿押さえ側部材３３２に対して本体側部材３３１が回動することで、原稿押さえ部材３１０が画像読取装置本体１００ｄに対して手前側で開閉することができる。そして、原稿押さえ装置３００は、ヒンジ部３３０による原稿押さえ部材３１０の原稿押さえ側への付勢力によって原稿押さえ部材３１０及び弾性部材３２０で構成される押圧部材３６０を原稿載置台２０１におけるコンタクトガラス２０１ａに向けて押圧することができる。
【００７２】
また、本実施の形態では、押圧部材３６０は、手前側から奥側へ向かう方向（ここでは閉じた状態での主走査方向Ｘ）における原稿押圧領域α１（図４の斜線部参照）の中央部又は略中央部（ここでは中央部Ｃ、図４参照）を境にして折り曲げ自在とされた二つ折り構造とされている。ここで、原稿押圧領域α１は、各規定サイズ（具体的には各規定サイズのうち最大サイズ、ここではＡ３サイズ）の原稿Ｇを押圧する領域（具体的には弾性部材３２０）である。
【００７３】
詳しくは、押圧部材３６０は、原稿押さえ部材３１０が原稿押圧領域α１の手前側から奥側へ向かう方向（ここでは閉じた状態での主走査方向Ｘ）における中央部又は略中央部（ここでは中央部Ｃ）を境にした折り曲げ構造となっている。具体的には、原稿押さえ部材３１０は、奥側に位置する第１原稿押さえ部材３１０ａ（図４等参照）と、手前側に位置する第２原稿押さえ部材３１０ｂ（図４等参照）とを備えている。第１原稿押さえ部材３１０ａは、ヒンジ部３３０における原稿押さえ側部材３３２が設けられ、画像読取装置本体１００ｄに対してヒンジ部３３０によって手前側で開閉するようになっている。第２原稿押さえ部材３１０ｂは、第１原稿押さえ部材３１０ａの手前側端部に対して副走査方向Ｙに沿った回動軸Ｑ２（図４等参照）回りに上下折り曲げ自在とされている。そして、弾性部材３２０は、中央部又は略中央部（ここでは中央部Ｃ）を中央にして跨ぐように第１原稿押さえ部材３１０ａ及び第２原稿押さえ部材３１０ｂに設けられている。なお、第２原稿押さえ部材３１０ｂの第１原稿押さえ部材３１０ａに対する折り曲げ角度は、例えば、±４５°程度の角度とすることができる。
【００７４】
また、本実施の形態では、原稿載置台２０１は、コンタクトガラス２０１ａに載置された規定サイズの原稿Ｇの手前側から奥側へ向かう方向に沿った第１辺（短辺）Ｇ１及び第１辺Ｇ１（図４等参照）に直交する第２辺（長辺）Ｇ２（図４等参照）を支持する支持部３４０（図４等参照）と、原稿載置台２０１を構成する枠体２０２（図３及び図５等参照）を覆って支持部３４０の外側に位置する外装カバー部材３８０（図４等参照）とをさらに備えている。外装カバー部材３８０は、ＡＢＳなどの樹脂材料で形成されている。
【００７５】
支持部３４０には、原稿Ｇのサイズ（ここでは、Ａ３、Ｂ４、Ａ４、Ｂ５、Ａ５、２Ｌ、Ｂ６、Ａ６、Ｌの各サイズ）を示す位置において該サイズを示す文字（図８等中の符号Ｓ１参照）が設けられている。なお、図８等において、Ｂ列のサイズ表示については図示を省略している。
【００７６】
また、支持部３４０には、第１辺（短辺）Ｇ１及び第２辺（長辺）Ｇ２の交点を示す位置において該交点を示す矢印（図８等中の符号Ｓ２参照）が設けられている。
【００７７】
詳しくは、支持部３４０は、原稿Ｇの第１辺Ｇ１を当接させて第２辺Ｇ２に沿った方向の一方側、具体的には副走査方向Ｙの他方側Ｙ２（ここでは原稿読み取り開始側）への移動を規制する第１支持部３４１と、原稿Ｇの第２辺Ｇ２を当接させて第１辺Ｇ１に沿った方向の一方側、具体的には主走査方向Ｘの他方側Ｘ２（ここでは奥側）への移動を規制する第２支持部３４２とを備えている。これにより、支持部３４０は、副走査方向Ｙの他方側Ｙ２（ここでは原稿読み取り開始側）及び主走査方向Ｘの他方側Ｘ２（ここでは奥側）基準で原稿Ｇを支持することができる。
【００７８】
そして、第１支持部３４１及び第２支持部３４２に、原稿Ｇのサイズを示す文字Ｓ１が設けられており、第１支持部３４１に、第１辺（短辺）Ｇ１及び第２辺（長辺）Ｇ２の交点を示す矢印Ｓ２が設けられている。
【００７９】
本実施の形態では、第１支持部３４１は、原稿Ｇの第２辺Ｇ２に沿った方向の一方側への移動を規制するだけでなく、コンタクトガラス２０１ａの第１辺を当接させて第１辺に直交する第２辺に沿った方向の一方側への移動を規制する支持部を兼ねており、第２支持部３４２は、原稿Ｇの第１辺Ｇ１に沿った方向の一方側への移動を規制するだけでなく、コンタクトガラス２０１ａの第２辺を当接させて第１辺に沿った方向の一方側への移動を規制する支持部を兼ねている。また、支持部３４０は、コンタクトガラス２０１ａの第１辺に相対する第３辺を当接させて第２辺に沿った方向の他方側、具体的には副走査方向Ｙの一方側Ｙ１（ここでは原稿読み取り終了側）への移動を規制する第３支持部３４３と、コンタクトガラス２０１ａの第２辺に相対する第４辺を当接させて第１辺に沿った方向の他方側、具体的には主走査方向Ｘの一方側Ｘ１（ここでは手前側）への移動を規制する第４支持部３４４とを備えている。
【００８０】
また、本実施の形態では、原稿押さえ装置３００は、弾性部材３２０の原稿Ｇへの押圧時において、コンタクトガラス２０１ａに載置された原稿Ｇと接するシート状の接触部材３５０（図４等参照）をさらに備えている。接触部材３５０は、予め定めた所定色を有する部材とされており、ここでは、白色部材とされている。
【００８１】
接触部材３５０は、ポリプロピレン等の樹脂フィルム材で形成されている。弾性部材３２０は、原稿押さえ部材３１０の原稿押さえ側に設けられ（具体的には貼り付けられ）ており、弾性部材３２０と同程度の寸法とされている。接触部材３５０の厚み（ここでは０．１ｍｍ）は、均一とされている。
【００８２】
また、原稿押さえ部材３１０、弾性部材３２０及び接触部材３５０の形状は、原稿Ｇの形状と同じ矩形形状（長方形状）とされている。
【００８３】
そして、押圧部材３６０は、規定サイズの原稿Ｇを押圧する原稿押圧領域α１（図４参照）と、原稿押圧領域α１よりも外側の非原稿押圧領域α２（図４の斜線部参照）とを有している。ここでは、非原稿押圧領域α２は、ヒンジ部３３０により原稿押さえ部材３１０を支持している部分よりも内側（手前側）の領域とされている。原稿押さえ装置３００は、規制部材３７０をさらに備えており、規制部材３７０は、押圧部材３６０の非原稿押圧領域α２において原稿押圧領域α１の原稿Ｇへの押圧力Ｆ（図９等参照）を部分的に規制するようになっている。具体的には、規制部材３７０は、押圧部材３６０の非原稿押圧領域α２と、原稿載置台２０１の原稿押圧領域α１に対応する原稿領域β１（図４の斜線部参照）よりも外側の外側領域（押圧部材３６０による原稿Ｇへの押圧に関与しない領域）β２（図４の斜線部参照）との重複領域（オーバーラップする領域）γ（図８等の斜線部参照）において原稿押圧領域α１の原稿Ｇへの押圧力Ｆ（図９等参照）を部分的に規制するようになっている。
【００８４】
詳しくは、規制部材３７０は、原稿載置台２０１の外側領域β２（ここでは外側領域β２内に位置する支持部３４０）と押圧部材３６０の非原稿押圧領域α２（ここでは原稿押さえ部材３１０の弾性部材３２０以外の領域）との間に配設されている。
【００８５】
図６は、画像読取装置１００に設けられた規制部材３７０部分を示す概略断面図である。図６（ａ）は、規制部材３７０により押圧力Ｆが規制されない部分で原稿Ｇが押圧されていない状態を示している。図６（ｂ）は、規制部材３７０により押圧力Ｆが規制されない部分で接触部材３５０を介して弾性部材３２０により原稿Ｇが押圧されている状態を示している。図６（ｃ）は、規制部材３７０により押圧力Ｆが規制される部分で原稿Ｇが押圧されていない状態を示している。図６（ｄ）は、規制部材３７０により押圧力Ｆが規制される部分で接触部材３５０を介して弾性部材３２０により原稿Ｇが押圧されている状態を示している。
【００８６】
本実施の形態では、規制部材３７０は、押圧部材３６０の非原稿押圧領域α２（具体的には非原稿押圧領域α２及び外側領域β２の重複領域γ）を部分的に支持する支持片とされている。詳しくは、規制部材３７０は、非原稿押圧領域α２（具体的には重複領域γ）の奥側（具体的には中央部Ｃよりも奥側）において原稿押圧領域α１の原稿Ｇへの押圧力Ｆを部分的に規制するようになっている。
【００８７】
具体的には、規制部材３７０は、予め定めた所定の厚みｈ１（図６（ｃ）及び図６（ｄ）参照）を有しており、ここでは、立方体形状の部材とされている。規制部材３７０は、規制部材３７０の縦方向（閉じた状態での主走査方向Ｘ）の長さｄ１（図７参照）が２０ｍｍ、規制部材３７０の横方向（副走査方向Ｙ）の長さｄ２（図７参照）が２０ｍｍ、規制部材３７０の厚みｈ１（ｈ１ａ、図６（ｃ）参照）が圧縮されていない状態（原稿Ｇが押圧されていない状態）で６．７５ｍｍとされている。
【００８８】
また、コンタクトガラス２０１ａの上面と支持部３４０の上面との間の距離Ｄ（図６（ａ）参照）が１．４ｍｍとされ、原稿（ここでは写真原稿）の厚みｔ（図６（ａ）参照）が０．２ｍｍとされ、弾性部材３２０の厚み及び接触部材３５０の厚みを合計した厚みｈ２（ｈ２ａ、図６（ａ）及び図６（ｃ）参照）が圧縮されていない状態（原稿Ｇが押圧されていない状態）で８．３ｍｍとされている。
【００８９】
そして、規制部材３７０の厚みｈ１（ｈ１ｂ、図６（ｄ）参照）は、圧縮されている状態（接触部材３５０を介して弾性部材３２０により原稿Ｇが押圧されている状態）で６．７ｍｍ（圧縮距離０．０５ｍｍ）とされ、弾性部材３２０の厚み及び接触部材３５０の厚みを合計した厚みｈ２は、圧縮されている状態（接触部材３５０を介して弾性部材３２０により原稿Ｇが押圧されている状態）において、規制部材３７０により押圧力Ｆが規制されていない部分では（厚みｈ２ｂ、図６（ｂ）参照）７．９ｍｍ（圧縮距離０．４ｍｍ）とされ、規制部材３７０により押圧力Ｆが規制されている部分では（厚みｈ２ｃ、図６（ｄ）参照）８．１ｍｍ（圧縮距離０．２ｍｍ）とされている。
【００９０】
なお、規制部材３７０は、外装カバー部材３８０と原稿押さえ部材３１０との間に設けられていてもよい。
【００９１】
弾性部材３２０は、マット状の部材とされており、ウレタンフォームなどの発泡状（フォーム状）の発泡樹脂材料又は多孔質形状の多孔質樹脂材料で形成されている。ここでは、弾性部材３２０として、Ｆ−２（株式会社イノアックコーポレーション製）のウレタンフォームを用いている。弾性部材３２０は、原稿押さえ部材３１０の原稿押さえ側に付設され（具体的には貼り付けられ）ており、原稿押さえ部材３１０の寸法より小さめで、かつ、コンタクトガラス２０１ａに載置される原稿Ｇの最大サイズ（ここではＡ３サイズ）程度或いは最大サイズ（ここではＡ３サイズ）よりも大きめの寸法とされている。弾性部材３２０の厚みは、均一とされている。
【００９２】
規制部材３７０は、ウレタンフォームなどの発泡状（フォーム状）の発泡樹脂材料又は多孔質形状の多孔質樹脂材料で形成することができる。ここでは、規制部材３７０として、Ｌ−３２（株式会社ロジャースイノアック製）のウレタンフォームを用いている。
【００９３】
本実施の形態に係る原稿押さえ装置３００において、規制部材３７０は、原稿載置台２０１におけるコンタクトガラス２０１ａに載置された原稿Ｇの少なくとも二つの辺（ここでは２つの辺）に臨む位置に設けられている。規制部材３７０は、原稿Ｇの辺に沿って複数設けられていてもよい。
【００９４】
規制部材３７０は、所定サイズ（ここでは２Ｌサイズ）の原稿Ｇの辺の臨む位置を含むように設けられている。すなわち、規制部材３７０は、少なくとも所定サイズ（ここでは２Ｌサイズ）の原稿Ｇの辺の臨む位置に設けられている。ここで、原稿Ｇの辺に臨む位置は、原稿Ｇの辺から外側への予め定めた所定の幅ｍ１（図８参照）の領域である。なお、幅ｍ１の奥側の領域は、開閉軸Ｑ１よりも内側の領域とされている。
【００９５】
次に、本実施の形態の実施例１から実施例３に係る原稿押さえ装置３００（３００Ａ〜３００Ｃ）の詳細について図７から図１５を参照しながら説明する。
【００９６】
（実施例１）
図７から図９は、本実施の形態の実施例１に係る原稿押さえ装置３００（３００Ａ）を説明するための模式図である。図７は、本実施の形態の実施例１に係る原稿押さえ装置３００（３００Ａ）を底面から視た概略底面図である。図８は、図７に示す原稿押さえ装置３００（３００Ａ）が原稿Ｇを押圧している状態を平面から視た概略平面図である。また、図９は、図７に示す原稿押さえ装置３００（３００Ａ）を画像読取装置本体１００ｄから離間させた状態を示す概略断面図である。図９（ａ）は、図８に示すＡ方向から視た状態を示しており、図９（ｂ）は、図８に示すＢ方向から視た状態を示している。
【００９７】
図７から図９に示す実施例１では、規制部材３７０は、第１辺Ｇ１に臨む位置のうち第２辺Ｇ２の側に設けられた第１規制部材３７１と、第２辺Ｇ２に臨む位置のうち第１辺Ｇ１に相対する第３辺Ｇ３の側に設けられた第２規制部材３７２とを備えている。ここで、第２辺Ｇ２の側は、主走査方向Ｘの中央よりも第２辺Ｇ２側の位置である。このことは、後述する実施例２及び実施例３についても同様である。また、第３辺Ｇ３の側は、副走査方向Ｙの中央よりも第３辺Ｇ３側の位置である。
【００９８】
なお、図７から図９に示す例では、第１規制部材３７１及び第２規制部材３７２は、第１支持部３４１及び第２支持部３４２の上面に位置するように原稿押さえ部材３１０にそれぞれ設けられているが、第１規制部材３７１は、第１支持部３４１よりも外側の位置に（具体的には外装カバー部材３８０の上面に位置するように）設けられていてもよいし、第２規制部材３７２は、第２支持部３４２よりも外側の位置に（具体的には外装カバー部材３８０の上面に位置するように）設けられていてもよい。
【００９９】
（実施例２）
図１０から図１２は、本実施の形態の実施例２に係る原稿押さえ装置３００（３００Ｂ）を説明するための模式図である。図１０は、本実施の形態の実施例２に係る原稿押さえ装置３００（３００Ｂ）を底面から視た概略底面図である。図１１は、図１０に示す原稿押さえ装置３００（３００Ｂ）が原稿Ｇを押圧している状態を平面から視た概略平面図である。また、図１２は、図１０に示す原稿押さえ装置３００（３００Ｂ）を画像読取装置本体１００ｄから離間させた状態を示す概略断面図である。図１２（ａ）は、図１１に示すＡ方向から視た状態を示しており、図１２（ｂ）は、図１１に示すＢ方向から視た状態を示している。
【０１００】
図１０から図１２に示す実施例２では、規制部材３７０は、第１辺Ｇ１に相対する第３辺Ｇ３に臨む位置のうち第２辺Ｇ２の側に設けられた第３規制部材３７３と、第２辺Ｇ２に臨む位置のうち第１辺Ｇ１の側に設けられた第４規制部材３７４とを備えている。ここで、第１辺Ｇ１の側は、副走査方向Ｙの中央よりも第１辺Ｇ１側の位置である。
【０１０１】
なお、図１０から図１２に示す例では、第３規制部材３７３及び第４規制部材３７４は、第３支持部３４３及び第２支持部３４２の上面に位置するように原稿押さえ部材３１０にそれぞれ設けられているが、第３規制部材３７３は、第３支持部３４３よりも外側の位置に（具体的には外装カバー部材３８０の上面に位置するように）設けられていてもよいし、第４規制部材３７４は、第２支持部３４２よりも外側の位置に（具体的には外装カバー部材３８０の上面に位置するように）設けられていてもよい。
【０１０２】
（実施例３）
図１３から図１５は、本実施の形態の実施例３に係る原稿押さえ装置３００（３００Ｃ）を説明するための模式図である。図１３は、本実施の形態の実施例３に係る原稿押さえ装置３００（３００Ｃ）を底面から視た概略底面図である。図１４は、図１３に示す原稿押さえ装置３００（３００Ｃ）が原稿Ｇを押圧している状態を平面から視た概略平面図である。また、図１５は、図１３に示す原稿押さえ装置３００（３００Ｃ）を画像読取装置本体１００ｄから離間させた状態を示す概略断面図であって、図１５は、図１４に示すＡ方向から視た状態を示している。
【０１０３】
図１３から図１５に示す実施例３では、規制部材３７０は、第１辺Ｇ１に臨む位置のうち第２辺Ｇ２の側に設けられた第１規制部材３７１と、第１辺Ｇ１に相対する第３辺Ｇ３に臨む位置のうち第２辺Ｇ２の側に設けられた第３規制部材３７３とを備えている。
【０１０４】
図１３から図１５に示す例では、第１規制部材３７１及び第３規制部材３７３は、第１支持部３４１及び第３支持部３４３の上面に位置するように原稿押さえ部材３１０にそれぞれ設けられているが、第１規制部材３７１は、第１支持部３４１よりも外側の位置に（具体的には外装カバー部材３８０の上面に位置するように）設けられていてもよいし、第３規制部材３７３は、第３支持部３４３よりも外側の位置に（具体的には外装カバー部材３８０の上面に位置するように）設けられていてもよい。
【０１０５】
（実施例１〜３共通の構成）
本実施の形態の実施例１〜３では、規制部材３７０（第１規制部材３７１、第２規制部材３７２、第３規制部材３７３及び第４規制部材３７４）は、弾性部材３２０よりも密度が大きいか或いは硬度が大きい物性値とされている。
【０１０６】
詳しくは、物性値としては、密度や硬度の他、発泡樹脂材料の発泡倍率などを例示できる。ここで、硬度として、日本ゴム協会標準規格(ＳＲＩＳ０１０１)に規定された硬度を示すアスカーＣ（ＡＳＫＥＲ  Ｃ）の値を例示できる。また、発泡倍率は、発泡性材料の発泡前の体積に対する発泡後の体積の比率とすることができる。
【０１０７】
そして、規制部材３７０（３７１〜３７４）の硬度及び密度の少なくとも一つをそれに対応する弾性部材３２０の物性値よりも大きくすることができる。或いは／さらに、弾性部材３２０の発泡倍率を規制部材３７０（３７１〜３７４）の発泡倍率よりも小さくすることができる。例えば、弾性部材３２０の密度を２３ｋｇ／ｍ3〜２７ｋｇ／ｍ3とし、規制部材３７０（３７１〜３７４）の密度を３２０ｋｇ／ｍ3とすることができる。
【０１０８】
実施例１〜３では、規制部材３７０（３７１〜３７４）は、原稿載置台２０１の外側領域β２及び押圧部材３６０の非原稿押圧領域α２のうち少なくとも一方に貼り付けられていてもよい。また、規制部材３７０（３７１〜３７４）は、原稿載置台の外側領域β２及び押圧部材３６０の非原稿押圧領域α２のうち少なくとも一方と一体形成されていてもよい。具体的には、規制部材３７０（３７１〜３７４）は、原稿押さえ部材３１０に対して接着部材（例えば接着剤や両面粘着シート）を介して貼り合わされていてもよいし、原稿押さえ部材３１０及び規制部材３７０（３７１〜３７４）が一体形成されていてもよい。或いは／さらに、規制部材３７０（３７１〜３７４）は、支持部３４０や外装カバー部材３８０等の原稿載置台２０１の外側領域β２を構成する部材に対して接着部材（例えば接着剤や両面粘着シート）を介して貼り合わされていてもよいし、支持部３４０や外装カバー部材３８０等の原稿載置台２０１の外側領域β２を構成する部材及び規制部材３７０（３７１〜３７４）が一体形成されていてもよい。
【０１０９】
（本実施の形態について）
以上説明したように、本実施の形態によると、規制部材３７０（第１規制部材３７１、第２規制部材３７２、第３規制部材３７３及び第４規制部材３７４）により、各規定サイズ（具体的には各規定サイズのうち最大サイズ、ここではＡ３サイズ）の原稿Ｇ（例えば写真原稿等の光沢性を有する原稿）を押圧する原稿押圧領域α１、及び、原稿押圧領域α１よりも外側の非原稿押圧領域α２を有する押圧部材３６０の非原稿押圧領域α２（具体的には押圧部材３６０の非原稿押圧領域α２、及び、原稿載置台２０１の外側領域β２の重複領域γ）において原稿押圧領域α１の原稿Ｇへの押圧力Ｆを部分的に規制（小さく）することができる。従って、押圧部材３６０の原稿押圧領域α１での押圧力を、規制部材３７０により規制した部分と規制していない部分との双方で適度なものにすることができ、これにより、原稿Ｇとコンタクトガラス２０１ａと間の隙間での光波の干渉により原稿Ｇの読み取り画像に発生し得る斑点、及び、コンタクトガラス２０１ａに対する原稿Ｇの浮きにより原稿Ｇの読み取り画像に発生し得る影の双方を効果的に防止することができる。しかも、原稿押圧領域α１を規定サイズのうち最大サイズ（ここではＡ３サイズ）の原稿Ｇを押圧する領域とすることができ、これにより、最大サイズ（ここではＡ３サイズ）よりも小さい所定サイズ（ここでがＢ４以下のサイズ）に適用できるだけでなく、最大サイズ（ここではＡ３サイズ）の原稿Ｇに対しても適用することができる。これらのことは、原稿Ｇが、写真原稿等の光沢性を有する原稿（例えば光沢紙原稿）である場合に、特に有効となる。
【０１１０】
また、本実施の形態では、規制部材３７０が原稿載置台２０１の外側領域β２（ここでは支持部３４０）と押圧部材３６０の非原稿押圧領域α２（ここでは原稿押さえ部材３１０の弾性部材３２０以外の領域）との間に配設されて押圧部材３６０の非原稿押圧領域α２を部分的に支持する支持片とされていることで、原稿載置台２０１の外側領域β２と押圧部材３６０の非原稿押圧領域α２との間の間隔を部分的に確保することができ、これにより、押圧部材３６０の原稿押圧領域α１（ここでは弾性部材３２０）での押圧力Ｆの部分的な規制を確実に行うことができる。
【０１１１】
ところで、押圧部材３６０は、本実施の形態のように、手前側が開閉可能に奥側で開閉軸Ｑ１によって軸支された構成とされている場合には、原稿押圧領域α１の奥側において押圧力Ｆが大きくなる傾向にある。
【０１１２】
この点、本実施の形態において、押圧部材３６０は、たとえ手前側が開閉可能に奥側で開閉軸Ｑ１によって軸支された構成とされていても、規制部材３７０は、非原稿押圧領域α２（具体的には非原稿押圧領域α２及び外側領域β２の重複領域γ）の奥側において原稿押圧領域α１の原稿Ｇへの押圧力Ｆを部分的に規制することにより、原稿押圧領域α１の奥側で大きくなる傾向にある押圧力Ｆを奥側で確実に規制する（弱める）ことができ、それだけ斑点及び影の双方を効果的に防止することができる。
【０１１３】
また、押圧部材３６０は、本実施の形態のように、原稿押圧領域α１の中央部又は略中央部（ここでは中央部Ｃ）を境にして折り曲げ自在とされた二つ折り構造とされている場合には、原稿押圧領域α１での押圧力Ｆが手前側よりも奥側で大きくなり易い。
【０１１４】
この点、本実施の形態において、押圧部材３６０は、たとえ原稿押圧領域α１の中央部又は略中央部（ここでは中央部Ｃ）を境にして折り曲げ自在とされた二つ折り構造とされていても、規制部材３７０は、非原稿押圧領域α２（具体的には重複領域γ）の奥側において原稿押圧領域α１の原稿Ｇへの押圧力Ｆを部分的に規制することにより、手前側よりも奥側で大きくなり易い原稿押圧領域α１での押圧力Ｆを奥側で確実に規制する（弱める）ことができ、それだけ斑点及び影の双方を効果的に防止することができる。
【０１１５】
また、押圧部材３６０は、本実施の形態のように、開閉軸Ｑ１が上下方向Ｚに移動自在とされている場合には、原稿押圧領域α１での押圧力Ｆが手前側よりも奥側で大きくなり易い。
【０１１６】
この点、本実施の形態において、押圧部材３６０は、たとえ開閉軸Ｑ１が上下方向Ｚに移動自在とされていても、規制部材３７０は、非原稿押圧領域α２（具体的には重複領域γ）の奥側において原稿押圧領域α１の原稿Ｇへの押圧力Ｆを部分的に規制することにより、手前側よりも奥側で大きくなり易い原稿押圧領域α１での押圧力Ｆを奥側で確実に規制する（弱める）ことができ、それだけ斑点及び影の双方を効果的に防止することができる。
【０１１７】
また、本実施の形態では、規制部材３７０がコンタクトガラス２０１ａに載置された原稿Ｇの少なくとも二つの辺に臨む位置に設けられていることで、押圧部材３６０の原稿押圧領域α１での押圧力Ｆを原稿Ｇの少なくとも二つの辺の奥側において部分的に規制することができ、これにより、押圧部材３６０の原稿押圧領域α１（ここでは弾性部材３２０）での押圧力Ｆの部分的な規制を安定して行うことができる。
【０１１８】
詳しくは、実施例１では、第１規制部材３７１が第１辺Ｇ１に臨む位置のうち第２辺Ｇ２の側に設けられ、第２規制部材３７２が第２辺Ｇ２に臨む位置のうち第３辺Ｇ３の側に設けられているので、押圧部材３６０の原稿押圧領域α１（ここでは弾性部材３２０）での押圧力Ｆを、第１規制部材３７１により第１辺Ｇ１に臨む位置のうち第２辺Ｇ２の側で部分的に規制するだけでなく、第２規制部材３７２により第２辺Ｇ２に臨む位置のうち第３辺Ｇ３の側で部分的に規制することができ、それだけ押圧部材３６０の原稿押圧領域α１での押圧力Ｆの部分的な規制を安定して行うことができる。
【０１１９】
また、実施例２では、第３規制部材３７３が第３辺Ｇ３に臨む位置のうち第２辺Ｇ２の側に設けられ、第４規制部材３７４が第２辺Ｇ２に臨む位置のうち第１辺Ｇ１の側に設けられているので、押圧部材３６０の原稿押圧領域α１（ここでは弾性部材３２０）での押圧力Ｆを、第４規制部材３７４により第２辺Ｇ２に臨む位置のうち第１辺Ｇ１の側で部分的に規制するだけでなく、第３規制部材３７３により第３辺Ｇ３に臨む位置のうち第２辺Ｇ２の側で部分的に規制することができ、それだけ押圧部材３６０の原稿押圧領域α１での押圧力Ｆの部分的な規制を安定して行うことができる。
【０１２０】
また、実施例３では、第１規制部材３７１が第１辺Ｇ１に臨む位置のうち第２辺Ｇ２の側に設けられ、第３規制部材３７３が第３辺Ｇ３に臨む位置のうち第２辺Ｇ２の側に設けられているので、押圧部材３６０の原稿押圧領域α１（ここでは弾性部材３２０）での押圧力Ｆを、第１規制部材３７１により第１辺Ｇ１に臨む位置のうち第２辺Ｇ２の側で部分的に規制するだけでなく、第３規制部材３７３により第３辺Ｇ３に臨む位置のうち第２辺Ｇ２の側で部分的に規制することができ、それだけ押圧部材３６０の原稿押圧領域α１での押圧力Ｆの部分的な規制を安定して行うことができる。
【０１２１】
ところで、原稿載置台２０１のコンタクトガラス２０１ａに載置される原稿Ｇ（特に写真原稿等の光沢性を有する原稿）は、一般的には、規定サイズのうち最大サイズ（ここではＡ３サイズ）よりも小さいサイズの原稿である頻度が高い。
【０１２２】
この点、本実施の形態において、規制部材３７０が所定サイズ（例えば２Ｌサイズ）の原稿の辺に臨む位置を含むように設けられていることで、押圧部材３６０の原稿押圧領域α１（ここでは弾性部材３２０）での押圧力Ｆを、規制部材３７０により所定サイズ（例えば２Ｌサイズ）の原稿Ｇの辺の側で部分的に規制することができ、これにより、押圧部材３６０の原稿押圧領域α１のうち所定サイズ（例えば２Ｌサイズ）の原稿Ｇを押圧する領域での押圧力Ｆの部分的な規制を確実に行うことができる。
【０１２３】
ここで、原稿載置台２０１の外側領域β２（ここでは支持部３４０）及び押圧部材３６０の非原稿押圧領域α２（ここでは原稿押さえ部材３１０の弾性部材３２０以外の領域）のうち少なくとも一方に規制部材３７０を設けることができる。すなわち、押圧部材３６０の非原稿押圧領域α２のみに規制部材３７０を設ける場合、原稿載置台２０１の外側領域β２のみに規制部材３７０を設ける場合、及び、原稿載置台２０１の外側領域β２及び押圧部材３６０の非原稿押圧領域α２の双方に規制部材３７０を設ける場合を例示できる。押圧部材３６０の非原稿押圧領域α２のみに規制部材３７０を設ける場合には、押圧部材３６０が閉じられたときに、非原稿押圧領域α２に設けられた規制部材３７０を原稿載置台２０１の外側領域β２に当接させることができる。原稿載置台２０１の外側領域β２のみに規制部材３７０を設ける場合には、押圧部材３６０が閉じられたときに、外側領域β２に設けられた規制部材３７０を押圧部材３６０の非原稿押圧領域α２に当接させることができる。また、押圧部材３６０の非原稿押圧領域α２及び原稿載置台２０１の外側領域β２の双方に規制部材３７０を設ける場合には、押圧部材３６０が閉じられたときに、非原稿押圧領域α２に設けられた規制部材３７０及び外側領域β２に設けられた規制部材３７０を互いに当接させることができる。
【０１２４】
ここで、規制部材３７０が原稿載置台２０１の外側領域β２（ここでは支持部３４０）及び押圧部材３６０の非原稿押圧領域α２（ここでは原稿押さえ部材３１０の弾性部材３２０以外の領域）のうち少なくとも原稿載置台２０１の外側領域β２の方に設けられている場合には、ユーザ等の操作者が原稿Ｇを原稿載置台２０１のコンタクトガラス２０１ａに載置する際に規制部材３７０が邪魔になったり、剥がれたり、或いは、破損したりといった不都合を招く。
【０１２５】
この点、本実施の形態のように、規制部材３７０が原稿載置台２０１の外側領域β２（ここでは支持部３４０）及び押圧部材３６０の非原稿押圧領域α２（ここでは原稿押さえ部材３１０の弾性部材３２０以外の領域）のうち押圧部材３６０の非原稿押圧領域α２のみに設けられている場合には、ユーザ等の操作者が原稿Ｇを原稿載置台のコンタクトガラス２０１ａに載置する際に規制部材３７０が邪魔になったり、剥がれたり、或いは、破損したりといった不都合の発生を抑制することができる。
【０１２６】
また、本実施の形態では、規制部材３７０が弾性を有する部材とされていることで、押圧部材３６０が閉じられたときに、規制部材３７０の相手側（ここでは支持部３４０）への損傷を抑制することができる。
【０１２７】
ところで、規制部材３７０は、密度が弾性部材３２０の密度と同じか小さい物性値、或いは、硬度が弾性部材３２０の硬度と同じか小さい物性値とされていると、弾性部材３２０の原稿押圧領域α１での押圧力Ｆを部分的に規制することが困難となる。
【０１２８】
この点、本実施の形態のように、規制部材３７０は、弾性部材３２０よりも密度が大きいか或いは硬度が大きい物性値とされていることで、弾性部材３２０の原稿押圧領域α１での押圧力Ｆの部分的な規制を確実に行うことができる。
【０１２９】
本実施の形態において、規制部材３７０は、硬質性を有する突起形状の部材（例えば硬質性の樹脂部材）とされていてもよい。この場合、規制部材３７０は、外装カバー部材３８０や原稿押さえ部材３１０と同様の部材、例えば、ＡＢＳなどの樹脂材料で形成することができる。
【０１３０】
図１６は、原稿押さえ装置３００（３００Ａ〜３００Ｃ）において規制部材３７０が硬質性を有する突起形状の部材とされ、押圧部材３６０が閉じられた状態を示す概略図である。図１６（ａ）は、規制部材３７０が原稿押さえ部材３１０の非原稿押圧領域α２に設けられている一例を示している。図１６（ｂ）は、規制部材３７０が原稿載置台２０１の外側領域β２における支持部３４０に設けられている一例を示している。また、図１６（ｃ）は、規制部材３７０が原稿押さえ部材３１０の非原稿押圧領域α２及び原稿載置台２０１の外側領域β２における支持部３４０の双方に設けられている一例を示している。
【０１３１】
図１６（ａ）から図１６（ｃ）に示すように、規制部材３７０が硬質性を有する突起形状の部材とされていることで、規制部材３７０を可及的に小さいサイズにした状態で、原稿押さえ部材３１０の原稿押圧領域α１での押圧力Ｆの部分的な規制を確実に行うことができる。また、規制部材３７０と、原稿押さえ部材３１０の非原稿押圧領域α２及び原稿載置台２０１の外側領域β２における支持部３４０のうち少なくとも一方とを容易に一体形成させることができる。図１６に示す例では、規制部材３７０の先端における形状は、平面形状とされているが、原稿載置台２０１の外側領域β２と原稿押さえ部材３１０の非原稿押圧領域α２との間の間隔を確保することができれば、何れの形状であってもよく、例えば、凸状の曲面形状であてもよい。
【０１３２】
なお、本実施の形態では、センチ仕様の構成について説明したが、勿論、インチ仕様の構成であってもよい。
【０１３３】
［斑点及び影の評価］
次に、本実施の形態の実施例１〜３において、原稿Ｇとコンタクトガラス２０１ａと間の隙間での光波の干渉により原稿Ｇの読み取り画像に発生し得る斑点、及び、コンタクトガラス２０１ａに対する原稿Ｇの浮きにより原稿Ｇの読み取り画像に発生し得る影（カブリ）の発生状態を調べたので、規制部材３７０を設けていない比較例と共に以下に説明する。
【０１３４】
図１７は、原稿Ｇとコンタクトガラス２０１ａと間の隙間での光波の干渉により原稿Ｇの読み取り画像に発生し得る斑点、及び、コンタクトガラス２０１ａに対する原稿Ｇの浮きにより原稿Ｇの読み取り画像に発生し得る影（カブリ）の発生状態の評価結果を示す図表である。なお、図１７において、「◎」は、十分許容できる程度の読み取り画像が得られたことを示し、「○」は、許容できる程度の読み取り画像が得られたことを示し、「×」は、許容できない程度の読み取り画像となったことを示している。
【０１３５】
本実施の形態の実施例１〜３及び比較例での斑点及び影（カブリ）評価は、何れも原稿Ｇとして厚みが０．２ｍｍの白色の印画紙を用いて写真モードで読み取った画像を基に印刷した印刷画像を確認することにより行った。
【０１３６】
図１７に示すように、比較例では、斑点及び影（カブリ）が共に許容できない程度の読み取り画像となったのに対して、本実施の形態の実施例１〜３では、斑点及び影（カブリ）の双方とも十分許容できる或いは許容できる程度の読み取り画像が得られた。
【符号の説明】
【０１３７】
１００    画像読取装置
２０１    原稿載置台
２０１ａ  コンタクトガラス（透明板の一例）
３００    原稿押さえ装置
３１０    原稿押さえ部材
３２０    弾性部材
３３０    ヒンジ部
３４０    支持部
３４１    第１支持部
３４２    第２支持部
３５０    接触部材
３６０    押圧部材
３７０    規制部材
３７１    第１規制部材
３７２    第２規制部材
３７３    第３規制部材
３７４    第４規制部材
４００    画像形成装置
Ｃ        中央部
Ｆ        押圧力
Ｇ        原稿
Ｇ１      第１辺
Ｇ２      第２辺
Ｇ３      第３辺
Ｑ１      開閉軸
Ｑ２      回動軸
Ｓ１      文字
Ｓ２      矢印
Ｘ        主走査方向
Ｙ        副走査方向
Ｚ        上下方向
α１      原稿押圧領域
α２      非原稿押圧領域
β１      原稿領域
β２      外側領域
γ        重複領域
【図１】
2019020740.tif 000003
【図２】
2019020740.tif 000004
【図３】
2019020740.tif 000005
【図４】
2019020740.tif 000006
【図５】
2019020740.tif 000007
【図６】
2019020740.tif 000008
【図７】
2019020740.tif 000009
【図８】
2019020740.tif 000010
【図９】
2019020740.tif 000011
【図１０】
2019020740.tif 000012
【図１１】
2019020740.tif 000013
【図１２】
2019020740.tif 000014
【図１３】
2019020740.tif 000015
【図１４】
2019020740.tif 000016
【図１５】
2019020740.tif 000017
【図１６】
2019020740.tif 000018
【図１７】
2019020740.tif 000019